(57)【要約】【課題】装着された用紙ロールを取り外して同一サイズの別の用紙ロールを代わりに装着するときのユーザの操作を容易化できる印刷装置を提供する。【解決手段】印刷装置は、ロールを収容する収容部内に設けられ、対向する２つの移動可能な板状の第１支持部６Ａ、６Ｂと、第１支持部６Ａ、６Ｂの夫々に設けられた第２支持部６１Ａ、６１Ｂと、第１支持部６Ａ、６Ｂの夫々を対向方向に移動可能に支持する移動部と、移動部による第１支持部６Ａ、６Ｂの移動を規制する規制部６３とを備える。第２支持部６１Ａは、第１支持部６Ａの面と平行に延びる軸を支点として揺動可能に支持された揺動部６４Ａと、揺動部から突出する突出部６５Ａと、揺動部６４Ａを付勢する第１付勢部６６Ａとを備える。【選択図】図４
2015160424.tif 000002
【特許請求の範囲】
【請求項１】
印刷媒体に印刷を行う印刷部と、
前記印刷媒体が筒状の芯に巻回されたロールを収容する収容部と、
前記収容部内に設けられ、対向する２つの移動可能な部材であって、前記ロールからの前記印刷媒体の引き出し方向と直交する直交方向の前記ロールの両端部を支持することが可能な板状の２つの第１支持部と、
前記２つの第１支持部の夫々に設けられ、前記直交方向の前記芯の両端部を支持することが可能な２つの第２支持部と、
前記２つの第１支持部の夫々を、前記２つの第１支持部が対向する方向である対向方向に移動可能に支持する移動部と、
前記移動部による前記２つの第１支持部の移動を規制する規制部と
を備え、
前記２つの第２支持部の夫々は、
前記２つの第１支持部の夫々の面と平行に延びる軸を支点として揺動可能に支持された揺動部と、
前記揺動部から、前記軸と交差する方向に突出する突出部と、
前記２つの第１支持部の夫々の対向する対向面からの前記突出部の突出の程度が小さい状態から、前記対向面からの前記突出部の突出の程度が大きい状態まで前記揺動部が揺動する向きに、前記揺動部を付勢する第１付勢部と
を備えたことを特徴とする印刷装置。
【請求項２】
前記移動部は、
前記２つの第１支持部の夫々に設けられ、前記対向方向に沿って延びる２つのラックギアと、
前記２つのラックギアに噛み合う１つのピニオンギアと
前記２つの第１支持部の夫々が互いに近づく向きに、前記２つの第１支持部の少なくとも一方を付勢する第２付勢部と
を備えたことを特徴とする請求項１に記載の印刷装置。
【請求項３】
前記規制部は、
前記収容部内に設けられた櫛歯と、
前記２つの第１支持部の少なくとも一方に設けられ、前記櫛歯に噛み合う凸部を先端に備えた部材であって、前記櫛歯に前記凸部が噛み合った状態と噛み合わない状態とに切り替え可能な切り替え部と
を備えたことを特徴とする請求項１又は２に記載の印刷装置。
【請求項４】
前記規制部は、
前記切り替え部を、前記櫛歯に前記凸部が噛み合わない状態から噛み合う状態に向けて付勢する第３付勢部を更に備えたことを特徴とする請求項３に記載の印刷装置。
【発明の詳細な説明】
【技術分野】
【０００１】
本発明は、印刷媒体が巻回されたロールを装着可能な印刷装置に関する。
【背景技術】
【０００２】
ラベル用紙等の印刷媒体が巻回されたロールを装着可能な印刷装置が知られている。例えば特許文献１は、用紙ロールの両端の夫々に配置可能な２つの押え板を有する用紙ホルダを備えたプリンタを開示する。２つの押え板の夫々は対向する。２つの押え板の夫々は、内側に突出するボスを備える。２つの押え板の夫々はラックギアを備える。２つのラックギアの夫々は、１つのピニオンギアに噛合する。圧縮バネは、一方の押え板を他方の押え板に向けて付勢する。圧縮バネによって一方の押え板が他方の押え板側に移動した場合、他方の押え板は、ラックギア及びピニオンギアによって一方の押え板側に移動する。これによって２つの押え板は、用紙ロールに両側から接触し、用紙ロールを両側から挟み支持する。２つのボスの夫々は、用紙ロールのうち印刷媒体が巻回された筒状の芯の両端から内側に進入し、用紙ロールを押え板に固定する。２つのストッパの夫々は、２つの押え板の夫々が内側へ移動することを規制できる。
【先行技術文献】
【特許文献】
【０００３】
【特許文献１】特開２００２−３０２３号公報
【発明の概要】
【発明が解決しようとする課題】
【０００４】
上記用紙ホルダでは、用紙ロールをプリンタから取り外したとき、圧縮バネによって２つの押え板の夫々は内側に移動する。２つの押え板の夫々の間の距離は、取り外した用紙ロールの幅よりも短くなる。例えば、取り外した用紙ロールと同一サイズの用紙ロールが装着される場合、ユーザは、２つの押え板の夫々の位置を変更する必要がないにも関わらず、用紙ロールを装着するときに２つの押え板の間の距離を広げる操作を行わなければならず、煩わしい。
【０００５】
一方、ストッパによって、２つの押え板の夫々が用紙ロールの幅と同じ長さだけ互いに離隔した状態で固定する方法も考えられる。しかしこの場合でも、ユーザは、用紙ロールを取り外すときに、２つのボスを用紙ロールの芯の内側から外側に抜くために２つの押え板の間の距離を一旦広げる操作を行わなければならない。
【０００６】
以上のように、上記用紙ホルダでは、装着された用紙ロールをユーザが取り外し、同一サイズの別の用紙ロールを代わりに装着するときの操作が煩わしい。
【０００７】
本発明の目的は、装着された用紙ロールを取り外して同一サイズの別の用紙ロールを代わりに装着するときのユーザの操作を容易化できる印刷装置を提供することである。
【課題を解決するための手段】
【０００８】
本発明の印刷装置は、印刷媒体に印刷を行う印刷部と、前記印刷媒体が筒状の芯に巻回されたロールを収容する収容部と、前記収容部内に設けられ、対向する２つの移動可能な部材であって、前記ロールからの前記印刷媒体の引き出し方向と直交する直交方向の前記ロールの両端部を支持することが可能な板状の２つの第１支持部と、前記２つの第１支持部の夫々に設けられ、前記直交方向の前記芯の両端部を支持することが可能な２つの第２支持部と、前記２つの第１支持部の夫々を、前記２つの第１支持部が対向する方向である対向方向に移動可能に支持する移動部と、前記移動部による前記２つの第１支持部の移動を規制する規制部とを備え、前記２つの第２支持部の夫々は、前記２つの第１支持部の夫々の面と平行に延びる軸を支点として揺動可能に支持された揺動部と、前記揺動部から、前記軸と交差する方向に突出する突出部と、前記２つの第１支持部の夫々の対向する対向面からの前記突出部の突出の程度が小さい状態から、前記対向面からの前記突出部の突出の程度が大きい状態まで前記揺動部が揺動する向きに、前記揺動部を付勢する第１付勢部とを備えている。
【０００９】
本発明によれば、２つの第２支持部の夫々は、揺動部が揺動することによって、２つの第１支持部の夫々の対向面から突出部が突出する場合の程度が小さい状態と大きい状態とに切り替わる。ユーザは、第１付勢部の付勢力に逆らって揺動部を揺動させることによって、２つの第１支持部の夫々の対向面から突出する突出部の突出の程度が小さい状態に切り替えることができる。これによって、２つの第１支持部の夫々の移動が規制部によって規制され、夫々の間の距離がロールの直交方向の長さと略同一である状態で保持されていても、ユーザは、２つの第１支持部の間にロールを容易に装着できる。又、ロールが装着された後、第１付勢部の付勢力によって、２つの第２支持部の夫々を、２つの第１支持部の夫々の対向面からの突出部の突出の程度が小さい状態に容易に切り替えることができる。従ってユーザは、装着されたロールを取り外して同一サイズの別のロールを代わりに装着するときの操作を容易に行うことができる。
【図面の簡単な説明】
【００１０】
【図１】印刷装置１（蓋部３を閉じた状態）の斜視図である。
【図２】印刷装置１（蓋部３を開いた状態）の斜視図である。
【図３】収容部２４内の用紙ホルダ９及びロール８の斜視図である。
【図４】用紙ホルダ９を後方から見た斜視図である。
【図５】用紙ホルダ９の背面図である。
【図６】用紙ホルダ９を前方から見た斜視図である。
【図７】櫛歯６３１及び凸部６３３を拡大した斜視図である。
【図８】櫛歯６３１及び凸部６３３を拡大した斜視図である。
【図９】収容部２４内の用紙ホルダ９の斜視図である。
【図１０】収容部２４内の用紙ホルダ９の斜視図である。
【発明を実施するための形態】
【００１１】
以下、本発明の実施形態について、図面を参照して説明する。印刷装置１は、ＵＳＢ（登録商標）ケーブルを介して外部端末（図示外）に接続可能である。印刷装置１は、外部端末から受信した印刷データに基づいて、印刷媒体に文字や図形等を印刷できる。印刷媒体は感熱ラベルである。外部端末は汎用のパーソナルコンピュータ（ＰＣ）である。図１の右下側、左上側、右上側、左下側、上側、及び下側を、夫々、印刷装置１の右側、左側、後側、前側、上側、及び下側と定義する。
【００１２】
＜印刷装置１の概要＞
図１、図２を参照し、印刷装置１の概要について説明する。印刷装置１は本体部２を備える。本体部２は、制御部（図示略）、印刷部２６Ｂ、駆動部（図示略）等を内部に備える。制御部は、印刷装置１全体を制御するＣＰＵを有する。印刷部２６Ｂは、感熱ラベルに印刷を行うことが可能なラインサーマルヘッドである。駆動部は、感熱ラベルを搬送するためのモータである。本体部２は、前方上側の傾斜部２Ａに表示部２１及びスイッチ２２を備える。本体部２は、傾斜部２Ａのうち表示部２１の後側に剥離機構５を備える。本体部２は、剥離機構５の後側に収容部２４を備える。本体部２は、右側に電源供給部１２、ＵＳＢ（登録商標）ＵＳＢインタフェース（Ｉ／Ｆ）１３、レバー２３、収容部２５、本体固定部２８等を備える。
【００１３】
収容部２４は、感熱ラベルが貼付された台紙が筒状の芯に巻回されたロール８（図３参照）を収容可能な空間を形成する。以下、台紙及び感熱ラベルを、テープという。収容部２４の左右両側及び上側は開口する。収容部２４内に用紙ホルダ９が固定されている。用紙ホルダ９は、ロール８を保持するための部材である。収容部２４のうち前側の壁部の上端に切断部２６Ａが設けられ、切断部２６Ａの下側に印刷部２６Ｂが設けられている。切断部２６Ａは、テープのうち印刷された部分を切り離すことが可能な刃である。切断部２６Ａ及び印刷部２６Ｂは、左右方向に延びる。収容部２４の前側の壁部のうち左右両端部の夫々から後方に向けて、一対の係合部２４１の夫々が突出する。一対の係合部２４１の夫々は、上方に延びる第１延設部、及び、第１延設部の上端から前方に延びる第２延設部を備える。一対の係合部２４１の夫々は、下端を支軸として揺動可能である。一対の係合部２４１の夫々は、レバー２３が下方に押し下げられた場合、夫々の第１延設部の上端が後方に移動する向きに揺動する。
【００１４】
蓋部３は、収容部２４の後端に設けられた支軸２９に揺動可能に支持されている。蓋部３は、上側、右側、及び左側から収容部２４を覆う位置に揺動可能である。支軸２９に付勢部２９Ａが巻回されている。付勢部２９Ａはばねである。付勢部２９Ａは、蓋部３が収容部２４を覆った状態から、覆わない状態に向けて付勢する。以下、蓋部３が収容部２４を覆った状態を、蓋部３が閉じた状態といい、蓋部３が収容部２４を覆わない状態を、蓋部３が開いた状態という。
【００１５】
蓋部３は、支軸２９によって支持されている側と反対側の端部に、第１ローラ３２を回転可能に支持する。第１ローラ３２の回転軸は左右方向に延びている。第１ローラ３２の回転軸の左右端部から外側に向けて、一対の被係合部３２１が延びている。一対の被係合部３２１の夫々は円柱状である。左側の被係合部３２１の左側に、ギア３６が設けられている。一対の被係合部３２１の夫々は、蓋部３が閉じた状態で、一対の係合部２４１の夫々の第２延設部に係合する。この場合、蓋部３の閉じた状態から開いた状態に向かう揺動は、係合部２４１によって抑制され、閉じた状態が維持される。
【００１６】
蓋部３が閉じた状態で、印刷部２６Ｂと第１ローラ３２とは近接する。蓋部３が閉じた状態で、剥離機構５と第１ローラ３２との間に、テープが排出される排出口２６Ｃが形成される。蓋部３が閉じた状態で、ギア３６は、本体部２に設けられた本体ギア（図示略）に噛み合う。本体ギアは、本体部２の駆動部に連結し、回転可能である。蓋部３が閉じた状態で本体ギアが回転した場合、ギア３６及び第１ローラ３２は、本体ギアの回転に応じて回転する。
【００１７】
蓋部３が閉じた状態でレバー２３が下方に押し下げられた場合、係合部２４１の第２延設部から被係合部３２１が外れる。蓋部３は、付勢部２９Ａの付勢力によって、閉じた状態から開いた状態に向けて揺動する。
【００１８】
電源供給部１２は、ＡＣアダプタのプラグを差し込むための端子である。ＵＳＢ（登録商標）  Ｉ／Ｆ１３は、ＵＳＢケーブルのコネクタを差し込むための複数の端子である。印刷装置１は、ＵＳＢ  Ｉ／Ｆ１３を介して外部端末と通信を行うことが可能である。なお、図１及び図２では、電源供給部１２及びＵＳＢ  Ｉ／Ｆ１３はゴム製の蓋で覆われている。収容部２５は、電池（図示略）を収容可能な空間を形成する。印刷装置１は、電源供給部１２から供給される電源、又は、収容部２５に収容された電池４から供給される電源によって駆動可能である。又、印刷装置１は、電源供給部１２から供給される電源によって、収容部２５に収容された電池４を充電することもできる。本体固定部２８は、収容部２５に収容された電池を保持し、本体部２から電池が外れないようにする。なお、印刷装置１の右側面には、レバー２３、電源供給部１２、ＵＳＢ  Ｉ／Ｆ１３、及び収容部２５がまとめて配置されているので、ユーザは、レバー２３、電源供給部１２、ＵＳＢ  Ｉ／Ｆ１３、及び収容部２５を介して行う印刷装置１の操作を容易に行うことができる。
【００１９】
感熱ラベルへの印刷が行われる場合の概要を説明する。用紙ホルダ９にロール８が保持され、蓋部３が閉じられる。印刷部２６Ｂと第１ローラ３２との間に、ロール８から延びるテープが下方から上方に向けて挿通される。第１ローラ３２は所定の力で印刷部２６Ｂにテープを押し付ける。駆動部の動作に伴い第１ローラ３２が回転することによって、ロール８からテープが順次引き出され、下方から上方に向けて搬送される。印刷装置１の上下方向は、テープの引き出し方向に対応する。又、左右方向は、引き出し方向と直交する直交方向に対応する。同時に、印刷部２６Ｂの発熱素子が発熱する。これによって、感熱ラベルに文字や図形が印刷される。印刷後、テープは、台紙に感熱ラベルが貼付された状態で、排出口２６Ｃから外部に排出される。排出されたテープは、切断部２６Ａによって切断される。なお、印刷装置１は、剥離機構５を用いることによって、印刷された感熱ラベルを台紙から剥離しながら、収容部２４から外部に排出させることもできる。
【００２０】
＜用紙ホルダ９＞
図３から図６を参照し、用紙ホルダ９の詳細について説明する。図３から図６に示すように、用紙ホルダ９は、板状の第１部材９１、第２部材９２、及び第３部材９３を備えている。第１部材９１の形状は略長方形である。第１部材９１には、２つの螺子穴９１Ａが設けられている。第１部材９１は、２つの螺子穴９１Ａの夫々に挿通する螺子によって、収容部２４の前側の壁部に固定される。以下、収容部２４に用紙ホルダ９が固定された状態を例に挙げ、印刷装置１に対する方向（前側、後側、左側、右側、上側、及び下側）を用紙ホルダ９にも適用する。
【００２１】
第２部材９２は、第１部材９１の下端に接続し、後方斜め下方向に延びる。第２部材９２に、長方形状の２つの開口部である開口部９２Ａ、９２Ｂが形成されている。開口部９２Ａ、９２Ｂは横長に配置され、左右方向に一列に並ぶ。開口部９２Ａは、開口部９２Ｂに対して左側に配置される。第２部材９２のうち隔離部９２Ｃは、開口部９２Ａ、９２Ｂを左右方向略中央で隔てる。開口部９２Ａの後面に第３支持部６７Ａが配置され、開口部９２Ｂの後面に第３支持部６７Ｂが配置される。第３支持部６７Ａ，６７Ｂの左右方向の長さは、開口部９２Ａ、９２Ｂの夫々の左右方向の長さよりも短い。なお、詳細は後述するが、第３支持部６７Ａは、第２部材９２の前側に設けられたラックギア６２１Ａと開口部９２Ａを介して接続する。第３支持部６７Ａ及びラックギア６２１Ａは、双方間に第２部材９２を挟む。これによって第３支持部６７Ａは、開口部９２Ａの後側に左右方向に移動可能に保持される。又、第３支持部６７Ｂは、第２部材９２の前側に設けられたラックギア６２１Ｂと開口部９２Ｂを介して接続する。第３支持部６７Ｂ及びラックギア６２１Ｂは、双方間に第２部材９２を挟む。これによって第３支持部６７Ｂは、開口部９２Ｂの後側に左右方向に移動可能に保持される。
【００２２】
第３部材９３は、第２部材９２のうち第１部材９１が接続する側と反対側から、後方略水平方向に延びる。第３部材９３には、２つの螺子穴９３Ａが設けられている。第３部材９３は、２つの螺子穴９３Ａに挿通する螺子によって、収容部２４の下側の壁部に固定される。
【００２３】
＜第１支持部６及び第２支持部６１＞
用紙ホルダ９は、第１支持部６Ａ、６Ｂ（以下、総称して「第１支持部６」ともいう。）を備えている。第１支持部６Ａは第３支持部６７Ａに接続し、第１支持部６Ｂは第３支持部６７Ｂに接続する。第１支持部６Ａ、６Ｂは、左右方向に対向する。印刷装置１の左右方向は、第１支持部６Ａ、６Ｂの対向方向に対応する。第１支持部６Ａ、６Ｂは、後述する規制部６３を除き、左右対称な形状を有する。従って以下では、第１支持部６Ａについてのみ詳細に説明する。
【００２４】
第１支持部６Ａは、円形板状の側板部６８Ａを有する。側板部６８Ａの平面は左右方向を向く。側板部６８Ａは、左右方向に貫通する円形の開口部６８１Ａを中心に備える。第１支持部６Ａは、側板部６８Ａの左側に第２支持部６１Ａを有する。第２支持部６１Ａは、揺動部６４Ａ、突出部６５Ａ、及び、第１付勢部６６Ａを備える。揺動部６４Ａは長方形の板状である。揺動部６４Ａは、第１延設部６４１Ａ、第２延設部６４２Ａ、及び第３延設部６４３Ａを有する。第１延設部６４１Ａは、側板部６８Ａの左側面の後方斜め下部分から、前方斜め上方向に向けて側板部６８Ａと平行に延び、右側に屈曲して右方向に延びる。第２延設部６４２Ａは、第１延設部６４１Ａの右端から前方斜め上側に向けて側板部６８Ａと平行に延び、右側に屈曲して右方向に延びる。第３延設部６４３Ａは、第２延設部６４２Ａの右端から前方斜め上側に延びる。
【００２５】
第１延設部６４１Ａの後方斜め下側の端部は、支軸（図示略）によって側板部６８Ａに揺動可能に支持されている。第１延設部６４１Ａを支持する支軸は、後方斜め上側から前方斜め下側に向けて、側板部６８Ａの平面と平行な方向に延びる。第１延設部６４１Ａの後方斜め下側の端部に、第１付勢部６６Ａが設けられている。第１付勢部６６Ａは、一端部が側板部６８Ａに接続され、他端部が第１延設部６４１Ａに接続されたばねである。第１付勢部６６Ａは、揺動部６４Ａの前方斜め上側の端部が左側から右側に向かう方向、即ち、揺動部６４Ａの第１延設部６４１Ａが側板部６８Ａから離隔した状態（図１０参照、後述）から近接した状態（図９参照、後述）に向かう方向に、揺動部６４Ａを付勢する。揺動部６４Ａは、第１付勢部６６Ａの付勢力によって、第２延設部６４２Ａが側板部６８Ａの左側面に接触する状態となるまで、前方斜め上側の端部を右側に移動させることができる。この状態で、第１延設部６４１Ａは開口部６８１Ａの左側を通過し、第３延設部６４３Ａは、側板部６８Ａの周回部分の外側に突出する。
【００２６】
第１延設部６４１Ａは突出部６５Ａを有する。突出部６５Ａは、第１延設部６４１Ａの右側面から、第１延設部６４１Ａの平面と直交する向きに突出する。突出部６５Ａの形状は円柱形である。突出部６５Ａの直径は、開口部６８１Ａの直径よりも小さい。突出部６５Ａは、第１延設部６４１Ａが側板部６８Ａと平行に延びた状態で、開口部６８１Ａに左側から進入し、側板部６８Ａの右側面よりも右側に突出する。
【００２７】
側板部６８Ａの前方斜め上側に、板状のガード部６８２Ａが設けられている。ガード部６８２Ａは、側板部６８Ａの前方斜め上側の周回部分から左方向に延び、屈曲して前方斜め上側に延びる。ガード部６８２Ａは開口部を有する。揺動部６４Ａの第３延設部６４３Ａは、ガード部６８２Ａの開口部に進入する。ガード部６８２Ａのうち前方斜め上側に延びる部分の先端は、第３延設部６４３Ａの前方斜め上側の先端よりも、前方斜め上側に配置する。揺動部６４Ａは、ガード部６８２Ａに第３延設部６４３Ａが接触する状態となるまで、前方斜め上側の端部を左側に揺動させることができる。
【００２８】
第１支持部６Ｂは側板部６８Ｂを有する。側板部６８Ａは開口部６８１Ｂを中心に備える。第１支持部６Ｂは、側板部６８Ｂの右側に第２支持部６１Ｂを有する。第２支持部６１Ｂは、揺動部６４Ｂ、突出部６５Ｂ、及び、第１付勢部（図示略）を備える。側板部６８Ｂの前方斜め上側に、板状のガード部６８２Ｂが設けられている。
【００２９】
＜移動部６２＞
図６に示すように、第２部材９２の前側に移動部６２が設けられている。移動部６２は、ラックギア６２１Ａ、６２１Ｂ、ピニオンギア６２２、及び第２付勢部６２Ｄを有する。ラックギア６２１Ａは、第１ギア部６９１Ａ、第２ギア部６９２Ａ、及び突出部６９３を備える。第１ギア部６９１Ａは、第２部材９２の前側且つ開口部９２Ａの上側を、左右方向に延びる。第１ギア部６９１Ａは、下端に複数の歯を備える。第２ギア部６９２Ａは、第１ギア部６９１Ａの左端から下方に延び、開口部９２Ａの前方に配置される。第２ギア部６９２Ａは、開口部９２Ａを介して第１支持部６Ａに接続される。突出部６９３は、第１ギア部６９１Ａの左右略中央から前方に突出する。
【００３０】
ラックギア６２１Ｂは、第１ギア部６９１Ｂ及び第２ギア部６９２Ｂを備える。第１ギア部６９１Ｂは、第２部材９２の前側且つ開口部９２Ｂの下側を、左右方向に延びる。第１ギア部６９１Ｂは、上端に複数の歯を備える。第２ギア部６９２Ｂは、第１ギア部６９１Ｂの右端から上方に延び、開口部９２Ｂの前方に配置される。第２ギア部６９２Ｂは、開口部９２Ｂを介して第１支持部６Ｂに接続される。
【００３１】
ピニオンギア６２２は、第２部材９２の隔離部９２Ｃの前側に設けられる。ピニオンギア６２２は、螺子によって回転可能に支持される。ピニオンギア６２２は、ラックギア６２１Ａの第１ギア部６９１Ａの歯に下方から噛み合い、ラックギア６２１Ｂの第１ギア部６９１Ｂの歯に上方から噛み合う。
【００３２】
移動部６２のラックギア６２１Ａ、６２１Ｂ、及びピニオンギア６２２は、第１支持部６を左右方向に移動可能に支持する。第１支持部６Ａ、６Ｂは連動して左右方向に移動する。例えば、第１支持部６Ａが左方向に所定量移動した場合、ラックギア６２１Ａ、６２１Ｂ、及びピニオンギア６２２は、第１支持部６Ｂを右方向に所定量移動させる。即ち、移動部６２のラックギア６２１Ａ、６２１Ｂ、及びピニオンギア６２２は、第１支持部６Ａ、６Ｂが互いに近づく方向（左右内側方向）、又は、互いに遠ざかる方向（左右外側方向）の何れかに第１支持部６を移動させる。
【００３３】
第２付勢部６２Ｄは、ラックギア６２１Ａの突出部６９３と、第２部材９２の前面のうち開口部９２Ｂの上側から前方に延びる突出部９２Ｄとの間に設けられる。第２付勢部６２Ｄは引張ばねである。第２付勢部６２Ｄは、ラックギア６２１Ａに右方向の付勢力を作用させる。即ち、第２付勢部６２Ｄは、第１支持部６Ａ、６Ｂが互いに近づく向きに、ラックギア６２１Ａに接続した第１支持部６Ａを付勢する。
【００３４】
＜規制部６３＞
図４に示すように、第１支持部６Ａの左側面に切り替え部６３２及び第３付勢部６３４が設けられている。切り替え部６３２は、操作部６３２Ａ及び延設部６３２Ｂを有する。操作部６３２Ａは、後方斜め下側から前方斜め上側に向けて延びる板状の部材である。操作部６３２Ａの平面は上下方向を向く。延設部６３２Ｂは、操作部６３２Ａの下面の上側半分の部分から、前方斜め下側に延びる。延設部６３２Ｂは、第１支持部６Ａの左側面に設けられた覆部によって移動可能に支持されている。切り替え部６３２は、後方斜め上側から前方斜め下側に向かう方向及びその反対方向に移動可能である。切り替え部６３２は、延設部６３２Ｂの下端に凸部６３３を有する。凸部６３３は、先端に向かうに従って、左右方向の長さが小さくなっている。図７、図８に示すように、凸部６３３は、延設部６３２Ｂを支持する覆部から下方に突出する。
【００３５】
第３付勢部６３４は、延設部６３２Ｂを覆う覆部の内部に設けられている。第３付勢部６３４は、延設部６３２Ｂの延びる方向と同一方向に延びる圧縮ばねである。第３付勢部６３４の一方の端部は延設部６３２Ｂに接続し、他方の端部は、延設部６３２Ｂを覆う覆部に接続する。第３付勢部６３４は、後方斜め上側から前方斜め下側に向かう方向の付勢力を切り替え部６３２に作用させる。
【００３６】
図５に示すように、第２部材９２の後面且つ開口部９２Ａの上側に、櫛歯６３１が設けられている。櫛歯６３１は、左右方向に一定間隔で並んだ複数の凹凸を有する。図７、図８に示すように、切り替え部６３２の凸部６３３は、櫛歯６３１の後方斜め上側に配置する。
【００３７】
切り替え部６３２が第３付勢部６３４の付勢力によって前方斜め下側に移動した場合、図７に示すように、凸部６３３は櫛歯６３１の複数の凹凸の何れかに噛み合う。これによって切り替え部６３２は左右方向に移動できなくなる。従って、第２付勢部６２Ｄがラックギア６２１Ａを右方向に付勢することに応じて第１支持部６Ａに右方向への力が作用した場合でも、第１支持部６Ａ，６Ｂの左右方向への移動は規制される。一方、切り替え部６３２が第３付勢部６３４の付勢力に逆らって後方斜め上側に移動した場合、図８に示すように、凸部６３３は櫛歯６３１の複数の凹凸から外れる。これによって切り替え部６３２は左右方向に移動可能となる。なお、第２付勢部６２Ｄはラックギア６２１Ａを右方向に付勢しているので、第１支持部６Ａに右方向への力が作用し、第１支持部６Ａ，６Ｂは左右方向に移動する。以下、切り替え部６３２、第３付勢部６３４、及び櫛歯６３１を総称し、規制部６３ともいう。
【００３８】
＜ロール８の着脱手順＞
印刷装置１に対してロール８を装着する場合の手順について説明する。ユーザは、切り替え部６３２の操作部６３２Ａを持ち、第３付勢部６３４の付勢力に逆らって後方斜め上側に移動させる。凸部６３３は櫛歯６３１から外れ、第１支持部６は左右方向に移動可能となる。ユーザは、操作部６３２Ａを後方斜め上側に移動させた状態を維持しながら、第１支持部６Ａを持ち、第１支持部６Ａ、６Ｂが互いに遠ざかる向きに第１支持部６を移動させる。
【００３９】
ユーザは、第１支持部６Ａの右側且つ第１支持部６Ｂの左側に、印刷時に使用するロール８を置く。ユーザは、第１支持部６Ａの側板部６８Ａ、及び、第１支持部６Ｂの側板部６８Ｂの間の長さが、印刷時に使用するロール８の幅と同じ長さとなるように、ロール８の左右両側に第１支持部６Ａ、６Ｂが接触するまで第１支持部６を移動させる。側板部６８Ａ、６８Ｂの間の長さを、ロール８の幅と同じ長さに調節した後、ユーザは操作部６３２Ａを離す。切り替え部６３２は、第３付勢部６３４の付勢力によって前方斜め下側に移動し、凸部６３３は櫛歯６３１の複数の凹凸のうち何れかに噛み合う。これによって、第１支持部６Ａ、６Ｂの左右内側への移動は規制されるので、側板部６８Ａ、６８Ｂの間の長さがロール８の幅と同じ長さとなった状態は保持される。
【００４０】
なお上記において、ユーザは、第１支持部６Ａの右側且つ第１支持部６Ｂの左側にロール８を置いた後、操作部６３２Ａを後方斜め上側に移動させた状態を維持しながら、第１支持部６Ａ、６Ｂを離してもよい。なお、第１支持部６Ａ、６Ｂの夫々は、第２付勢部６２Ｄによって、互いが近づく向き（左右内側）に付勢されている。従って、ユーザが第１支持部６Ａ、６Ｂを離した場合、第１支持部６Ａ、６Ｂは、第２付勢部６２Ｄによって自動的に内側に移動する。第１支持部６Ａ、６Ｂは、ロール８の左側に側板部６８Ａが接触し、ロール８の右側に側板部６８Ｂが接触した状態で、内側への移動を停止させる。その後、ユーザは操作部６３２Ａを離してもよい。これによって、第１支持部６Ａ、６Ｂは、側板部６８Ａ、６８Ｂの間の長さがロール８の幅と同じ長さとなった状態で保持される。
【００４１】
第２支持部６１Ａの突出部６５Ａ、及び、第２支持部６１Ｂの突出部６５Ｂは、ロール８の芯の内部に挿通し、芯を両端部から支持する。又、第１支持部６Ａの側板部６８Ａ、及び、第１支持部６Ａの側板部６８Ｂは、ロール８の左右両側に接触し、ロール８を左右両側から支持する。以上によって、ロール８に巻回された感熱ラベルへの印刷が可能な状態になる。
【００４２】
図９、図１０を参照し、用紙ホルダ９に装着されたロール８を、左右方向の長さが同一である別のロール８に交換する場合の手順について説明する。交換前のロール８が装着されている状態（図９参照。ロール８は不図示）で、ユーザは、第２支持部６１Ａの揺動部６４Ａの第３延設部６４３Ａを持ち、ガード部６８２Ａに第３延設部６４３Ａが接触するまで左側に移動させる。これによって、揺動部６４Ａの第１延設部６４１Ａは側板部６８Ａから離隔するので、側板部６８Ａから右側に突出する突出部６５Ａの突出の程度は小さくなる（図１０参照）。同様に、ユーザは、第２支持部６１Ｂの揺動部６４Ｂの第３延設部６４３Ｂを持ち、ガード部６８２Ｂに第３延設部６４３Ｂが接触するまで右側に移動させる。これによって、側板部６８Ｂから左側に突出する突出部６５Ｂの突出の程度は小さくなる（図１０参照）。これらによって、ロール８の芯の内部から、突出部６５Ａ、６５Ｂが外れるので、ユーザは、第１支持部６Ａ、６Ｂを移動させることなく、装着された状態のロール８を用紙ホルダ９から外すことができる。
【００４３】
なお、上記において、ユーザは、揺動部６４を手動で揺動させることなく、ロール８を用紙ホルダ９から取り外してもよい。この場合でも、揺動部６４は第１付勢部６６によって外側に自動的に揺動するので、側板部６８Ａから右側に突出する突出部６５Ａの突出の程度は自動的に小さくなり、側板部６８Ｂから右側に突出する突出部６５Ｂの突出の程度は自動的に小さくなる。従って、ユーザは、用紙ホルダ９からロール８を更に容易に取り外すことができる。
【００４４】
ユーザは、別のロール８を次のようにして用紙ホルダ９に装着する。ユーザは、第３延設部６４３Ａを左側に移動させ、第３延設部６４３Ｂを右側に移動させる。ユーザは、第１支持部６Ａ、６Ｂ間に別のロール８を装着する。なお、第１支持部６の左右方向の移動は、規制部６３によって規制されている。従って、側板部６８Ａ、６８Ｂの間の長さは、交換前のロール８の幅と同じ長さとなった状態で保持されている。又、ユーザが揺動部６４を揺動させることによって、側板部６８Ａから右側に突出する突出部６５Ａの突出の程度は小さくなり、側板部６８Ｂから左側に突出する突出部６５Ｂの突出の程度は小さくなっている。従って、ユーザは、第１支持部６Ａ、６Ｂを左右方向に移動させることなく、第１支持部６Ａ、６Ｂ間に別のロール８を装着できる。側板部６８Ａ、６８Ｂの間の長さは、装着した別のロール８の幅と同じ長さとなっているので、側板部６８Ａ、６８Ｂはロール８の左右両側に接触し、ロール８を左右両側から支持する。
【００４５】
ユーザは、第３延設部６４３Ａ、６４３Ｂを離す。揺動部６４Ａは、第１付勢部６６Ａの付勢力によって、側板部６８Ａに第１延設部６４１Ａが近接する向きに揺動する。これによって、側板部６８Ａから右側に突出する突出部６５Ａの突出の程度は大きくなる。同様に揺動部６４Ｂは揺動し、側板部６８Ｂから左側に突出する突出部６５Ｂの突出の程度は大きくなる。従って、突出部６５Ａ、６５Ｂは、別のロール８の芯の内部に挿通し、芯を両端部から支持する。以上によって、交換後の別のロール８に巻回された感熱ラベルへの印刷が可能な状態になる。
【００４６】
以上説明したように、印刷装置１において、第２支持部６１Ａは、揺動部６４Ａが揺動することによって、側板部６８Ａの内側面からの突出部６５Ａの突出の程度が小さい状態と大きい状態とに切り替わる。ユーザは、第１付勢部６６Ａの付勢力に逆らって揺動部６４Ａを揺動させることによって、側板部６８Ａの内側面からの突出部６５Ａの突出の程度が小さい状態に切り替えることができる。第２支持部６１Ｂ、揺動部６４Ｂ、側板部６８Ｂ、及び、突出部６５Ｂの場合についても同様である。これによって、第１支持部６Ａ、６Ｂの移動が規制部６３によって規制され、夫々の間の距離がロール８の左右方向の長さと略同一である状態で保持されていても、ユーザは、第１支持部６Ａ、６Ｂの間にロール８を容易に装着できる。又、印刷装置１は、ロール８が装着された後、第１付勢部６６Ａの付勢力によって、第２支持部６１Ａを、側板部６８Ａの内側面からの突出部６５Ａの突出の程度が大きい状態に容易に切り替えることができる。第２支持部６１Ｂ、側板部６８Ｂ、突出部６５Ｂの場合についても同様である。従ってユーザは、装着されたロール８を取り外して同一サイズの別のロール８を代わりに装着するときの操作を容易に行うことができる。
【００４７】
印刷装置１は、移動部６２のラックギア６２１Ａ、６２１Ｂ及びピニオンギア６２２によって、第１支持部６Ａ、６Ｂの夫々を連動して移動させることができる。又、第１支持部６Ａ、６Ｂの夫々は、第２付勢部６２Ｄによって内側に付勢される。従って、第１支持部６Ａ、６Ｂの夫々は、側板部６８Ａ、６８Ｂの夫々の内側面でロール８を容易に支持できる。
【００４８】
印刷装置１の規制部６３は、櫛歯６３１、切り替え部６３２、及び、第３付勢部６３４という簡易な構成で、第１支持部６Ａ、６Ｂの夫々の移動を規制できる。又、切り替え部６３２の凸部６３３が櫛歯６３１に噛み合う状態と噛み合わない状態とに切り替えることによって、第１支持部６Ａ、６Ｂの夫々が移動可能な状態と移動不可能な状態とに容易に切り替えることができる。
【００４９】
第３付勢部６３４は、切り替え部６３２の凸部６３３が櫛歯６３１の複数の凹凸の何れかに噛み合う状態となるように、切り替え部６３２に付勢力を作用させる。これによって、第１支持部６Ａ、６Ｂの夫々が移動可能な状態に不意に切り替わることが抑制される。従って、規制部６３は、第１支持部６Ａ、６Ｂの夫々が移動不可能な状態を適切に保持できる。
【００５０】
なお、本発明は上記実施形態に限定されず、種々の変更が可能である。上記実施形態では、揺動部６４Ａが揺動することによって、側板部６８Ａの内側面からの突出部６５Ａの突出の程度が切り替えられた。又、揺動部６４Ｂが揺動することによって、側板部６８Ｂの内側面からの突出部６５Ｂの突出の程度が切り替えられた。これに対し、揺動部６４Ａが揺動することによって、側板部６８Ａの内側面から突出部６５Ａが突出した状態と突出しない状態とに切り替えらえてもよい。同様に、揺動部６４Ｂが揺動することによって、側板部６８Ｂの内側面から突出部６５Ｂが突出した状態と突出しない状態とに切り替えられてもよい。
【００５１】
上記実施形態において、移動部６２は、ラックギア６２１Ａ、６２１Ｂ及びピニオンギア６２２を有し、第１支持部６Ａ、６Ｂを連動して左右方向に移動させた。第１支持部６Ａ、６Ｂは、別の機構で左右方向に移動してもよい。例えば、第３支持部６７Ａ、６７Ｂにラックギア６２１Ａ、６２１Ｂ及びピニオンギア６２２は接続されていなくてもよい。この場合、第１支持部６Ａ、６Ｂの夫々は、連動して左右方向に移動しなくてもよい。
【００５２】
規制部６３の構成は変更できる。例えば、第１支持部６Ａ、６Ｂの少なくとも一方は、第２部材９２に当接した状態と当接しない状態とに切り替え可能なストッパを有していてもよい。ユーザは、ストッパが第２部材９２に当接しない状態から当接した状態に切り替えることによって、第１支持部６Ａ、６Ｂの左右方向の移動を規制してもよい。
【００５３】
規制部６３は第３付勢部６３４を備えていなくてもよい。例えば規制部６３は、凸部６３３が櫛歯６３１に噛み合わない状態で切り替え部６３２を保持する保持部を有していてもよい。ユーザは、切り替え部６３２が保持部によって保持された状態と保持されていない状態とを切り替えることによって、第１支持部６Ａ、６Ｂの左右方向の移動が規制された状態と規制されていない状態とを切り替えてもよい。
【００５４】
突出部６５Ａは、第１延設部６４１Ａの右側面から、第１延設部６４１Ａの平面と交差する方向に突出していればよく、直交しなくてもよい。突出部６５Ｂについても同様である。第１延設部第２付勢部６２Ｄに加えて、ラックギア６２１Ｂを付勢する付勢部を備えてもよい。第２付勢部６２Ｄは、ラックギア６２１Ａ、６２１Ｂ間に設けられていてもよい。
【符号の説明】
【００５５】
１        印刷装置
２        本体部
６        第１支持部
６Ａ      第１支持部
６Ｂ      第１支持部
２４      収容部
６１      第２支持部
６１Ａ    第２支持部
６１Ｂ    第２支持部
６２      移動部
６２Ｄ    第２付勢部
６３      規制部
６４      揺動部
６４Ａ    揺動部
６４Ｂ    揺動部
６５Ａ    突出部
６５Ｂ    突出部
６６      第１付勢部
６６Ａ    第１付勢部
６７Ａ    第３支持部
６７Ｂ    第３支持部
６８Ａ    側板部
６８Ｂ    側板部
６２１Ａ  ラックギア
６２１Ｂ  ラックギア
６２２    ピニオンギア
６３１    櫛歯
６３２    切り替え部
６３２Ａ  操作部
６３２Ｂ  延設部
６３３    凸部
６３４    第３付勢部
６８２Ａ  ガード部
６８２Ｂ  ガード部
６９１Ａ  第１ギア部
６９１Ｂ  第１ギア部
６９２Ａ  第２ギア部
６９２Ｂ  第２ギア部
６９３    突出部
【図１】
2015160424.tif 000003
【図２】
2015160424.tif 000004
【図３】
2015160424.tif 000005
【図４】
2015160424.tif 000006
【図５】
2015160424.tif 000007
【図６】
2015160424.tif 000008
【図７】
2015160424.tif 000009
【図８】
2015160424.tif 000010
【図９】
2015160424.tif 000011
【図１０】
2015160424.tif 000012